(57)【要約】放送システムにおいて、ウェブサイト（９０）は、送信されたタイトルの対応するコンテント部分に付加情報及び／又は機能を付与する情報部分を蓄積する。コンテント部分はリムーバブル記憶媒体に記憶するための所定のアドレスフォーマット（「コンテント部分アドレス」）で識別する。受信機（６０）は、送信されたタイトルをウェブサイトにリンクするリンク情報と、タイトルの各コンテント部分に対して、対応するコンテント部分アドレスを、該コンテント部分を送信タイミングフォーマットで識別するコンテント部分タイミングと関連させるデータを含むデータファイルとを受信する。受信機のコントローラ（２５０）は、リンク情報とデータファイルを用いて、受信機が送信されたタイトルのコンテント部分をレンダリングのために供給するのに同期して、ウェブサイトの対応する情報部分へのリンクを可能とする。
2005528043.tif 000002
【特許請求の範囲】
【請求項１】
少なくとも１つの受信機と、タイトルを前記受信機に送信する送信システムと、前記タイトルの対応するコンテント部分に付加情報及び／又は機能を付与する情報部分を記憶するウェブサイトとを含み、送信されたタイトルの各コンテント部分はリムーバブル記憶媒体に記憶するために所定のアドレスフォーマット（以後“コンテント部分アドレス”という）で識別するトランスミッションシステムにおいて、
前記受信機は、送信されたタイトルと、該送信されたタイトルをウェブサイトにリンクするリンク情報と、該タイトルの各コンテント部分に対して、対応するコンテント部分アドレスを、該コンテント部分を送信タイミングフォーマットで識別するコンテント部分タイミングと関連させるデータを含むデータファイルとを受信するよう動作し、
前記受信機は、変換アプリケーションの制御の下で、前記送信されたタイトルのコンテント部分がコンテント部分タイミングを用いて識別された場合に前記受信機が該コンテント部分をレンダリングのために供給するのに同期して、前記リンク情報により指示されたウェブサイト上の対応する情報部分へのリンクを可能とし、前記データファイルを用いて、前記送信のコンテント部分タイミングに基づいて、前記コンテント部分アドレスを決定する、及び／又は、前記コンテント部分アドレスに基づいて、前記コンテント部分タイミングを決定するコントローラを具えることを特徴とするトランスミッションシステム。
【請求項２】
前記ウェブサイトは、送信されたタイトル内に存在しないが前記リムーバブル記憶媒体への分配に利用し得る除去されたコンテント部分に関連する情報部分を含み、前記データファイルは除去されたコンテント部分を指示し、前記コントローラは除去されたコンテント部分と関連する情報部分の前記ウエブサイトへのレンダリングをディセーブルするよう動作することを特徴とする請求項１記載のシステム。
【請求項３】
他のウェブサイトは、送信されたタイトル内に存在するが前記リムーバブル記憶媒体への分配に使用し得ない付加コンテント部分に関連する付加情報部分を含み、前記リンク情報は送信されたタイトルを前記他のウェブサイトにリンクして、前記コントローラが、前記付加情報部分を前記受信機がレンダリングのために前記付加コンテント部分を供給するのと同期してレンダリングするのを可能とすることを特徴とする請求項１記載のシステム。
【請求項４】
前記変換アプリケーションプログラムは前記受信機内のメモリに予め格納されていることを特徴とする請求項１記載のシステム。
【請求項５】
前記送信システムは、前記変換アプリケーションを前記受信機に直接アドレス指定して送信することにより、又は複数の受信機にブロードキャストすることにより前記受信機に付与するよう動作することを特徴とする請求項１記載のシステム。
【請求項６】
前記受信機は、ウェブサイト前記変換アプリケーションをウェブサイトからダウンロードするよう動作することを特徴とする請求項１記載のシステム。
【請求項７】
前記変換アプリケーションは前記データファイルを含むことを特徴とする請求項１記載のシステム。
【請求項８】
前記送信システムは、前記データフィル及び／又は前記リンク情報をブロードキャストするよう動作することを特徴とする請求項１記載のシステム。
【請求項９】
前記受信機は、前記送信されたタイトル、リンク情報、データファイルをローカル記憶装置に記憶するよう動作し、前記データファイルは、記憶装置からのタイトルのレンダリング時にのみ使用可能なウェブサイト上の情報部分（以後「記憶専用部分」という）についての情報を含み、前記変換アプリケーションは、前記コントローラが、前記タイトルが生放送からレンダリングされるのか記憶からレンダリングされるのかを決定し、前記ウェブサイト上の記憶専用のレンダリングを前記ローカル記憶システムからのタイトルのレンダリングに対してのみ可能とするよう動作することを特徴とする請求項１記載のシステム。
【請求項１０】
前記受信機は前記ローカル記憶システムに前記ウェブサイト上の情報を記憶するよう動作し、前記変換アプリケーションは、前記コントローラが、記憶装置からレンダリングされたタイトルに対して、前記ローカル記憶システムからの対応するウェブサイト情報をレンダリングするよう動作することを特徴とする請求項９記載のシステム。
【請求項１１】
前記送信機は、前記ウェブサイト上の情報を前記受信機に直接アドレス指定して送信することにより、又は複数の受信機にマルチキャストすることにより、前記受信機に付与するよう動作することを特徴とする請求項１０記載のシステム。
【請求項１２】
請求項１に記載のシステムに使用する受信機であって、該受信機は、
送信機により送信されたタイトル；
前記送信されたタイトルを、該タイトルの対応するコンテント部分に付加情報及び／又は機能を付与する情報部分を蓄積するウェブサイトにリンクさせるリンク情報；該送信されたタイトルのそれぞれのコンテント部分はリムーバブル記憶媒体に記憶するために所定のアドレスフォーマットで識別される（この識別情報を以後“コンテント部分アドレス”という）、及び
該タイトルのそれぞれのコンテント部分に対して、対応するコンテント部分アドレスを、当該コンテント部分を送信タイミングフォーマットで識別するコンテント部分タイミングと関連させるデータを含むデータファイル；
を受信するよう動作し、
前記受信機は、変換アプリケーションの制御の下で、受信機に同期して、前記送信されたタイトルのコンテント部分が前記コンテント部分タイミングを用いて識別された場合に該コンテント部分をレンダリングのために供給し、前記リンク情報により指示されたウェブサイト上の対応する情報部分へのリンクを可能とし、前記データファイルを用いて、前記送信のコンテント部分タイミングに基づいて、前記コンテント部分アドレスを決定する、及び／又は、前記コンテント部分アドレスに基づいて、前記コンテント部分タイミングを決定するよう動作するコントローラを含むことを特徴とする受信機。
【請求項１３】
受信機内のコントローラを、
受信したタイトルを、該タイトルの対応するコンテント部分に付加情報及び／又は機能を付与する情報部分を記憶するウェブサイトにリンクさせるリンク情報を処理するステップ；該送信されたタイトルのそれぞれのコンテント部分はリムーバブル記憶媒体に記憶するために所定のアドレスフォーマットで識別される（この識別情報を以後“コンテント部分アドレス”という）、
該タイトルのそれぞれのコンテント部分に対して、対応するコンテント部分アドレスを、当該コンテント部分を送信タイミングフォーマットで識別するコンテント部分タイミングと関連させるデータを含むデータファイルを処理するステップ；及び
受信機に同期して、前記送信されたタイトルのコンテント部分が前記コンテント部分タイミングを用いて識別された場合に該コンテント部分をレンダリングのために供給し、前記リンク情報により指示されたウェブサイト上の対応する情報部分へのリンクを可能とし、前記データファイルを用いて、前記送信のコンテント部分タイミングに基づいて、前記コンテント部分アドレスを決定する、及び／又は、前記コンテント部分アドレスに基づいて、前記コンテント部分タイミングを決定するステップ；
を実行させるコンピュータプログラム。
【発明の詳細な説明】
【技術分野】
【０００１】
本発明は、受信機がウェブサイトにリンクすることにより送信されたタイトルに関する追加の情報を得ることができるウェブテレビジョンに関するものである。
【発明の背景】
【０００２】
新しい形態のコンシューマエレクトロニクスプロダクトが絶えず開発されている。多くの努力がコンピュータ技術の収斂及びテレビジョンセットを中心とするホームエンターテイメントに注がれている。重要な分野は放送テレビジョンとインターネットの融合によるインタラクティブテレビジョン及び強化機能である。ＷＯ０１／１１８７４に、ＷＷＷユニフォームリソースロケータ（ＵＲＬ）をＴＶ信号と同時放送するシステムが記載されている。例えば、ＵＲＬは放送ＴＶ信号の垂直ブランキング期間（ＶＢＩ）又はディジタルビデオストリームの別個のデータチャネルに含めることができる。テレビジョン放送においてメッセージによりプロンプトされたとき、ユーザは1つ以上のＵＲＬを選択してインターネットを介してウェブサイトにコンタクトし、トランザクションを行うこと、或いは、放送に関する追加の情報を得ることができる。このような情報は、例えば俳優や監督などの情報とすることができる。
【０００３】
ＷＯ０１／１１８７４には、更に、放送受信機は記憶装置も含むことが記載されている。ユーザがウェブサイトにアクセスしたい場合、放送の表示が一時的に停止し、ウェブコンテントがスクリーンに表示される。放送タイトルがその間に記憶装置に記録され、ユーザがウェブのアクセスを終了したとき、放送タイトルの表示が記憶装置から続けられる。
【０００４】
この既知のウェブＴＶシステムの欠点は、各放送タイトルに対して、該タイトルを魅力的なウェブベースコンテントで高めるために大きな努力が要求される点にある。
【発明の要旨】
【０００５】
本発明の目的は、拡張ウェブＴＶシステムを提供することにある。
この目的を達成するために、本発明のトランスミッションシステムは、少なくとも１つの受信機と、タイトルを前記受信機に送信する送信システムと、前記タイトルの対応するコンテント部分に付加情報及び／又は機能を付与する情報部分を記憶するウェブサイトとを含み、送信されたタイトルのそれぞれのコンテント部分はリムーバブル記憶媒体に記憶するために所定のアドレスフォーマット（以後“コンテント部分アドレス”という）で識別され、前記受信機は、送信されたタイトルと、該送信されたタイトルをウェブサイトにリンクするリンク情報と、該タイトルのそれぞれのコンテント部分に対して、該コンテント部分を前記記憶用のアドレスフォーマットで識別する情報（以後「コンテント部分アドレス」という）を該コンテント部分を送信タイミングフォーマットで識別する情報（以後「コンテント部分タイミング」という）と関連させるデータを含むデータファイルとを受信するよう動作し、前記受信機はコントローラを具え、該コントローラは、変換アプリケーションの制御の下で、前記送信されたタイトルのコンテント部分が前記コンテント部分タイミングを用いて識別された場合に前記受信機が該コンテント部分をレンダリングのために供給するのに同期して、前記リンク情報により指示されたウェブサイト上の対応する情報部分へのリンクを可能とし、前記データファイルを用いて、前記送信のコンテント部分タイミングに基づいて、前記コンテント部分アドレスを決定する、及び／又は、前記コンテント部分アドレスに基づいて、前記コンテント部分タイミングを決定することを特徴とする。
【０００６】
ＷＯ００/６３９１５に、ＤＶＤシステムをＷＷＷウェブブラウザと統合したシステムが開示されている。ブラウザによりアクセスし得るサイトに対応するＵＲＬ情報はＤＶＤデータ内のフィールドに記憶される。ユーザが対応するＵＲＬを有するＤＶＤ要素を駆動すると、ウェブブラウザが該当サイトからの情報を表示する。ユーザがＨＴＭＬメニュー又は他のブラウザ実行フィーチャを駆動すると、ＤＶＤシステムはメニュー内の指定されたＤＶＤデータの部分にアクセスする。この構成は双方向通信を提供する。即ち、ブラウザのＨＴＭＬによるＤＶＤコンテントの制御及びその逆の制御が可能である。ウェブ情報とＤＶＤコンテント情報とをリンクさせることによりウェブコンテントをＤＶＤ情報のレンダリングと同期して提示することができる。
【０００７】
本発明では、記録されたＤＶＤタイトルのようなタイトルを受信機に送信し、受信したタイトルのレンダリングと同期してウェブ情報を提示することができる。この目的のために、リンク情報が受信機に与えられ、受信機内のブラウザはウェブサイトを見つけることができる。原ウェブサイトのウェブコンテントは記憶媒体(例えばＤＶＤ)上のタイトルのコンテント部分に、該コンテント部分がリムーバブル記憶媒体用に規定されたアドレス方式（例えばＤＶＤアドレス方式）を用いて識別された場合にリンクされる。送信されたタイトルのコンテント部分はブロードキャストタイムスタンプ方式を用いて識別する。受信機がウェブコンテントを利用可能にするために、本発明では、変換テーブルを受信機に付与し、これにより受信機のコントローラが一識別形式から他の識別形式への変換を実行可能にする。マッピングの方向はシステムごとに最適に選択することができる。例えば、いくつかのシステムでは、所定のタイトルに対して、付加ウェブベース情報は主としてタイトルの提示により駆動される（即ちタイトルが表示され、ウェブコンテントはタイトルの表示に必要なときに取り出される）。この場合には、多くのコンテント部分（アドレスフォーマットで識別される）に対してウェブコンテントへのリンクを付与することができる。タイトルのレンダリング中に、タイミングフォーマットで識別されたコンテント部分に対しては、付与されたテーブルを用いてアドレスフォーマットを決定し、該フォーマットを用いてリンクを決定することができる。好適実施例では、レンダリングを制御するウェブサイトが最も重要視される。このようなアプローチでは、サイトを更に発展させることやウェブサイトを向上させることが容易になる。このようなシナリオでは、ウェブサイトの付加情報部分の大部分に対して、 (アドレスフォーマット内の)コンテントのどの部分に関連するかが指示されるウェブサイトの処理が重要視される。この場合にはコントローラは付与されたデータファイルを用いてコンテント部分アドレスをコンテント部分タイミングに変換して同期レンダリングを可能にする。
【０００８】
本発明のシステムでは、各タイトルに対して１つの変換テーブルを生成する必要があるだけである場合には、受信機により実行すべき変換アプリケーションを１度開発するだけで、記憶されたコンテントに対し開発されたウェブサイトを再使用することができる。このようにすると、ウェブ拡張送信を映画のようなすべてのコンテントに対し極めて速く生成することができ、その理由は、コンテントを拡張する大きな労力はタイトルをリムーバブル記憶媒体にタイトルを分配する目的のために既に行われているためである。
【０００９】
タイトルは送信機により前記受信機（及びシステム内のすべての他の受信機）にブロードキャストするのが好ましい。タイトルはマルチキャストすることもできる。即ち１回の同時動作で受信用に選択された複数の受信機（通常全部ではない）に送信することができる。例えば、受信料金を払った受信機のみに送信することができる。原理的には、タイトルは、例えばこれを受信機にアドレス指定することにより、又は専用のリンクを用いることにより、受信機に直接送信することもできる。
【００１０】
従属請求項２に記載されているように、記憶媒体への分配用に作成された原タイトルのいくつかの部分を送信されたタイトルから除去する（例えば長さを短くするため）。ウェブベースコンテントが送信されたタイトルに存在しない部分についてレンダリングされるのを避けるために、データファイルには、受信機内のコントローラがこのようなコンテントをレンダリングし得ないようにする情報を含める。
【００１１】
従属請求項３に記載されているように、送信されたタイトルに、該タイトルの原記憶バージョンに存在しなかったコンテント部分を付加することもできる。これらの付加コンテント部分に対して、ウェブベースコンテントを異なる(又は同一の)のウェブサイトから得ることもできる。
【００１２】
従属請求項４に記載されているように、変換アプリケーションプログラムは受信機に予め格納する。本発明ではアプリケーションは１度開発する必要があるだけであるため、予め格納することができる。このことはアプリケーションの最適プラットフォーム特定コーディングを可能とし、コストを低減することができる。
【００１３】
従属請求項５に記載されているように、送信機は変換アプリケーション、例えばＸｌｅｔ（ブロードキャスト受信機プラットフォーム用に最適化されたＪａｂａアプリケーション）を付与する。このようにすると、例えば有料コンシューマへのアプリケーションの分配を制御することができるとともに、アプリケーションの更新を容易にすることができる。大きな利点は、殆どのＭＨＰのようなプラットフォームに対して、このようなアプリケーションの分配及び仕組みのフレームワークは規定されている。このようなフレームワークを用いることにより、送信機と受信機とのインタラクションのために通常必要とされる以後の標準化作業が不要となる。
【００１４】
従属請求項６に記載されているように、受信機はウェブサイト、例えば拡張コンテントを含むウェブサイト又は受信機の製造者のウェブサイトからアプリケーションをダウンロードする。特に、拡張コンテントを有するウェブサイトからのダウンロードはアプリケーションの機能をウェブサイトにより提供される機能に従って高めることができる。
【００１５】
従属請求項７に記載されているように、データファイル（及びオプションでリンク情報）を変換アプリケーションと組み合わせて、例えば１つの統合Ｘｌｅｔを形成することができる。このようにすると、変換データを新たに提供するのみの場合と比較して通常コストが増大するが、アプリケーションと変換データを最適にマッチさせることができる。
【００１６】
従属請求項８に記載されているように、送信システムはデータフィル及び／又はリンク情報をブロードキャストする。これは、送信媒体への負荷を最小に維持しながらデータをいくつかの受信機に分配するのに有効な方法である。
【００１７】
従属請求項９に記載されているように、受信機内に設けられる又は受信機に取り付けられる記憶装置を送信されたタイトルの記録のために使用する。リンク情報及びデータファイルも記録する。これにより、ローカル記憶装置からのその後のレンダリングが可能になる。更に、リアルタイム送信中に不可能な付加機能を利用可能にすることができる。例えば、ＶＣＲ又はＤＶＤのようなメニューを利用可能にして、ユーザがレンダリングを前位置（例えばＤＶＤチャプタ）から続けること、再生を中止すること、及び早送り／巻き戻し昨日を実行することを可能にすることができる。この目的のために、受信機は、タイトルがリアルタイムで供給されるのか記憶装置から供給されるのかを決定する。記憶装置からのレンダリングの場合の方が多くの機能を利用可能にすることができる。
本発明のこれらの特徴及び他の特徴は以下に記載する実施例を参照すると明らかになる。
【好適実施例の詳細な説明】
【００１８】
図１は、本発明の受信機を使用しうるディジタルテレビジョンシステムの概要を示す。一例として、オーディオ／ビデオ（Ａ／Ｖ）信号をＭＰＥＧ２圧縮を用いてディジタル的に分配するシステムについて記載する。本システムは、通常放送センタに位置するＭＰＥＧ２圧縮器１０を含む。この圧縮器はディジタル信号ストリーム（代表的にはディジタル化されたアナログ又はディジタルビデオ信号）を受信する。原信号はサービスプロバイダにより供給される。圧縮器１０はスクランブラ兼マルチプレクサ２０に接続される。スクランブラは、後に詳述するように、データストリームのディジタル信号をコンテントキーの制御の下で暗号化することによりスクランブルする。マルチプレクサ２０は、１以上のスクランブルされた又はスクランブルされてないデータストリームに加えて、他のディジタル信号も受信しうる。マルチプレクサ２０はすべての信号及びストリームをトランスポートストリームに多重し、圧縮多重された信号を放送センタの送信機３０に供給する。スクランブル機能と多重機能は別々の装置で実行することができるとともに、必要に応じ、異なる位置で実行することができる。多重されたトランスポートストリームはスクランブラ／マルチプレクサ２０から送信機３０へ、通信リンクを含む任意の適当な結合手段を用いて供給することができる。送信機３０は電磁信号をアップリンクを介して衛星トランスポンダ４０に向け送信し、ここで電磁信号は電気的に処理され、ダウンリンクを介して、通常エンドユーザのパラボラナアンテナの形態の地上衛星受信機５０に向け放送される。図では、衛星受信機５０は統合受信機６０に接続される。受信機６０の動作については図２を参照して後に詳述する。受信機６０は所望の信号を選択し、該信号をテレビジョン７０のようなレンダリング装置に適切な形で提示する。この信号はテープレコーダや、光ディスクレコーダや、ハードディスクレコーダや、その他の適切なレコーダを用いて記録することもできる。この信号は、ＣＡＴＶケーブルやＩＥＥＥ１３９４のような公知の分配システムを用いて、アナログ又はディジタル形態でレンダリング装置や記録装置に供給することもできる。ディジタル分配においては、デマルチプレクスされた信号を部分トランスポートストリームを用いるＭＰＥＧ２符号化で供給する場合には、トランスポートストリームの部分復号のみが必要とされる。ＡＶ信号の主分配は衛星を介して行う必要はないことが理解されるであろう。その代わりに、他の分配システム(即ち、１以上の多重信号を伝送する物理的媒体)、例えば地上放送、ケーブル伝送、複合衛星／ケーブル、を使用することができる。プログラム(番組)を分配システムを介して分配する団体はネットワークプロバイダと呼ばれることもある。受信機／デコーダ６０はレンダリング装置又は記録装置に統合することもできる。
【００１９】
代表的なシステムはマルチチャネルシステムとして動作し、マルチプレクサ２０は多数の(並列)ソースから受信したＡ／Ｖ情報を処理し、送信機３０と対話して該情報を対応する数のチャネルで又は個別のトランスポートストリームに多重して放送する。Ａ／Ｖ信号に加えて、メッセージやアプリケーションや他の種類のディジタルデータを送信ディジタルオーディオ／ビデオ情報とインタレースされたサービス／チャネルのいくつか又はすべてに導入することができる。このようなトランスポートストリームは１以上のサービスを含み、各トリームは１以上のサービスコンポーネントを有する。サービスコンポーネントはモノメディア要素である。サービスコンポーネントの例は、ビデオエレメンタリストリーム、オーディオエレメンタリストリーム、Ｊａｖａ（登録商標）アプリケーション(Ｘｌｅｔt)又は他のデータタイプである。トランスポートストリームは１以上のエレメンタリストリーム及び／又はデータを時間多重することにより形成される。  
【００２０】
本システムでは双方向通信を可能にして、インタラクティブビデオ、電子商取引などのようなインタラクティブアプリケーションを容易にするとともに、受信機がウェブサイトから付加情報／機能を得ることができるようにするのが好ましい。図には広域ネットワーク８０、好ましくはオープンインターネットの使用が示されている。この場合には、付加機能及び対話性がウェブサーバ９０上のウェブサイトにより与えられる。ウェブサイトに記憶されたデータ又はアプリケーションの放送又はマルチキャストを可能とするために、ウェブサーバ９０はマルチプレクサ20への接続も有するのが好ましい。この接続はダイレクトリンクとし得るが、インターネット経由とすることもできる。インターネット又は類似の通信システムの通信機能を任意の適切な形態で付与することができること明らかである。例えば、受信機は、インターネットプロトコルを直接用いて、ケーブルネットワーク又は衛星接続を介して通信することができる。或いは又、受信機は、インターネットへのアクセスを提供するアクセスプロバイダへのダイヤルイン接続を有するものとすることもできる。受信機はインターネットプロトコルを使用することができるが、使用しなくてもよい。サーバ９０がインターネットプロトコルを使用する場合には、例えばゲートウェイを用いてプロトコル変換を行うことができる。
【００２１】
本発明のシステムをディジタル放送システムについて記載するが、原理的には本発明は非放送システムにも適用することができる。例えば、タイトルを例えばペイパービュー式に個々の受信機に供給する場合にも同一の思想を容易に適用することができる。この場合、送信は典型的なブロードキャストシステム（但し直接アドレスされる）又は広帯域インターネット接続のような他の適切なシステムを介して行うことができる。
【００２２】
図１はＣＤ−ＲＯＭ、ＤＶＤ又はＡＶデータを記憶する固体メモリなどのリムーバブル記憶媒体も示す。代表的には、ＡＶタイトルは映画又は類似のＡＶデータであり、該データに対して拡張機能が既に開発されている。通常、タイトルは、例えばＭＰＥＧ２符号化を用いて圧縮された形で記憶されている。送信のために、タイトルを変更することができ、例えば長さを短くするためにいくつかの部分を除去したり、コマーシャルのようないくつかの他の部分を付加することができる。従って、タイトルは通常再符号化される。図１の模範的なディジタル送信システムでは、このことがタイトルをコーダ１０へ供給することにより示されている。タイトルはいずれにせよマルチプレクサ２０によりトランスポートストリームに多重される。タイトルは記憶媒体９５から取り出す必要はなく、スタジオによりオリジナルバージョンで供給することもできる。
【００２３】
タイトルに対して、拡張機能はウェブサイトからインターネット経由で得ることができるようにされている。ウェブサイトは、同じタイトルの送信時に使用されものと同じものとしてもよいが、しなくてもよい。原ウェブサイトは多数の付加情報部分を含み、それらのいくつかはタイトルのコンテント部分との明確な対応を有する。例えば、ウェブサイトは記憶媒体９５上の原タイトルより多数のサブタイトル又は言語を含むことができる。例えば、ＤＶＤは種々の地域に対して種々のバージョンで提供されている。種々のバージョンが開発されるにつれて多数の言語及びサブタイトルも開発されることになる。ＤＶＤは典型的には３〜４言語を含み、８言語までのサブタイトルを含むことができるが、付加情報をウェブサイトに追加することができる。これにより、例えば、アメリカにおいてオランダ人視聴者がＵＳリージョンコードのＤＶＤ（オランダ語及びオランダ語サブタイトルを含まない）を視聴することが可能となる。この場合、ウェブサイトは、ウェブサイト上の情報をタイトルの対応するコンテント部分に同期（「リンク」）させる情報を含むことを理解されたい。理論的には、このようなリンク情報はＤＶＤに埋め込むこともできるが、ウェブサイトがウェブ情報をコンテントに結合せしめるようにするのがよりフレキシブルで好ましい。他の例として、ＤＶＤを完成(及び分配)後に、多くの機能を付加することができ、例えば監督や脚本家や俳優とのインタビューをウェブサイトに記憶し、インタビューの部分を話題になっているコンテント部分にリンクさせることができる。このようにすると、(ウェブサイトから取り出した)インタビューを視聴する視聴者は話題になっているコンテント部分も視聴することができる。同様に、ゲームやクイズを開発し、これらをウェブサイトから得られるようにすることでき、ウェブサイトはウェブベースコンテントをタイトルコンテントにリンクすることができてもできなくてもよい。拡張機能の他の例として、
・拡張メニュー構造（ＤＶＤの原メニューと比較して）
・Ｅ−コマース、映画に関する購入アイテム
・同種／関連映画タイトルのプロモーション
・俳優、監督などの最新プロファイルの付与
がある。
【００２４】
ウェブサイトは宣言アプローチに基づくものとすることができる。このようなアプローチでは、ウェブサイトは実際のプログラムコードを含まず、その代わりにコンテントのタイプ及びコンテント部分間の接続（リンク）を記述する。このようなウェブサイトはＨＴＭＬ、ＸＭＬ又は同様の記述言語に基づくものとすることができる。ウェブサイトはもっと手続き的なアプローチに基づくものとすることもできる。このアプローチでは、例えばＪａｂａバーチャルマシンと同様に、受信機の機能（受信したコンテントの制御を含む）をアクセスするためにアプリケーションプログラミングインターフェース（ＡＰＩ）が受信機に対して規定されている。
【００２５】
図２は代表的な受信機の細部を示す。放送受信機は、ヨーロッパＭＨＰ（マルチメディアホームプラットフォーム）又はＵＳ  ＤＡＳＥプラットフォームのような特定プラットフォームに適合するものとするのが好ましい。放送受信機はチューナ２１０を含む。チューナ２１０は個別のチューナブル無線周波数（ＲＦ）帯を抽出し、通常ＭＰＥＧ２トランスポートストリームをもたらす。デマルチプレクサ（Ｄｅ−ＭＵＸ）２２０によりコンスタントキャリア信号から可変データ信号が分離される。その結果は多くの場合オーディオ、ビデオ及びデータ出力である。ビデオ及びオーディオストリームは限定受信サブシステム（ＣＡＳ）２３０に供給することができ、このサブシステムが受信許可を決定し、データを解読する。オーディオ及びビデオストリームはデコーダ２４０に供給され、このデコーダがこれらのストリームをビデオ及びオーディオレンダリング用又は記憶装置用に適する信号に変換する。これはＭＰＥＧ２デコーディングを含むものとし得る。受信機はウェブサイトとの双方向通信のための通信インターフェース２８０も含む。この目的のためには標準電気通信ライン用モデム又はブロードバンドモデムなどの任意の適切な通信ハードウエア／ソフトウエアを使用することができる。双方向通信チャネルはインタラクティブビデオ、ｅ−コマースなどのようなインタラクティブアプリケーション及び図１のウェブサーバ９０上のウェブサイトから付加情報／機能の取得を容易にする。インターネットプロトコル、例えばＭＨＰ“インターネットアクセスプロファイル”に規定されているプロトコルを使用するのが好ましい。ウェブサイトから取り出された関連データは変換器２６０(例えばオーディオＤ／Ａ変換器及びグラフィックプロセッサ)により、スピーカ及び／又はビデオディスプレイでユーザに提示するのに適切な形に変換される。このビデオはデコーダ２４０により発生されたビデオと合成されて１フレームバッファ２７０に供給することができる。このようにすると、ウェブデータを(例えばサブタイトルとして又はピクチャインピクチャとして)オーバレイする、又はビデオ信号と混合することができる。デコーダ２４０の出力はレンダリング装置に又は後のレンダリングのために記憶装置に供給することができる。内部記憶装置２９０が示されている。典型的には、デコーダ出力は最初にフレームバッファ２７０に記憶し、その後次のレンダリングのためにレンダリング装置／記憶装置に供給する。所定のアプリケーションに対しては、受信機は符号化ストリームを、デコーダ２４０をバイパスして供給することができる。この場合、レンダリング装置はデコーダ機能を含むものとすることができ、或いは、符号化ストリームを後でデータコーディングのために受信機に再供給することができる。符号化ストリームは後のレンダリングのために記憶装置２９０に記録することもできる。受信機のユーザインターフェース２９５は受信機をユーザとインタラクティブ可能にする。ユーザインターフェース２９５は、ＩＲリモートコントロールからの信号を受信する赤外線受信機、キーボード、又は音声制御用のマイクロフォンのような任意のユーザ入力手段を含むことができる。出力用には、小形のＬＣＤディスプレイ又はテレビジョンディスプレイ又は可聴フィードバックを用いるような任意の適切な形態のものを使用することができる。
【００２６】
チューナ機能２１０、デマルチプレクサ２２０、オプションのデスクランブル／解読機能２３０及びデコーダ機能２４０などの種々の機能は専用のハードウエアを用いて実行することができる。これらの機能のいくつか又は一部分は、例えば適切なプログラムがロードされたディジタル信号プロセッサ（ＤＳＰ）を用いて、プログラマブル処理機能により実行することもできる。受信機内の種々の機能はコントローラ２５０の制御の下でオペレートされ、このコントローラは内臓マイクロプロセッサ又はマイクロコントローラを含むのが典型的である。図を簡単とするために、コントローラと他の機能との制御関係は図示されていない。コントローラはウェブデータの処理及びＡＶコンテントとウェブコンテントの同期を実行する役割のみが図示されている。ウェブコンテントを提示するために、コンテントはＰＣから既知のウェブブラウザに類似のアプリケーションを実行することができる。所定の情報に対してはもっと簡単なアプリケーションを使用することができる。例えば、インターネットから取り出されたサブタイトルは、テレテキストサブタイトルのオーバレイのようにオーバレイすることができる。ユーザは、実際の付加コンテントがウェブから取り出されることに気が付く必要はない。
【００２７】
本発明では、受信機にリンク情報とデータファイルが供給される。この情報は特殊アプリケーションプログラム「変換アプリケーション」により使用される。リンク情報は、コントローラが（アプリケーションの制御の下で）付加情報を有するウェブサイトを捜し出すことを可能にする。好適実施例では、リンク情報は比較的簡単なものとする。例えば、リンク情報は次の３つのリンク：
１．同期フィーチャーhttp://…/…
２．付加情報http://…/…
３．記憶専用フィーチャーhttp://…/…
を含むことができる。
【００２８】
第１リンクは常に存在させるのが好ましい。これによりタイトルの部分のレンダリングと同期してレンダリングする必要がある付加情報を捜し出すことができる。別のリンク(リンク２)はウェブコンテントとＡＶコンテントの同期レンダリングを必要としないフィーチャーに対して与えることができる。非同期フィーチャーに対するこの追加のリンクは別のウェブサイト又は同じウェブサイトのサブ部分に向けることができる。非同期フィーチャーは必ずしも必要ないが原記憶タイトルに対して使用可能にすることができる。タイトルが受信機の位置で(例えば受信機内又は受信機に接続されたハードディスク又は記録可能光媒体を用いて)記録される場合には、もっと高度なフィーチャーを使用することができる。例えば、タイトルの自由に選択可能な部分の選択や機能の早送り、巻戻しタイプの選択をサポートするメニューを使用することができる。監督のコメントも話題になっているシーンのディスプレイと混合することができる。このようなフィーチャーは第３リンクでアクセス可能にするのが好ましい。タイトルがローカル記憶装置（例えば図２の内部記憶装置２９０）から再生される場合には、コントローラ２５０に信号を供給して、コントローラが第３リンク経由で付与される付加機能の使用を可能にする。これらの例では、タイトルコンテント又はウェブコンテントの部分が識別されたときの詳細リンクはサイト上の情報により管理される。このような場合には、詳細リンクがウェブベースデータを処理する間に生起する場合、受信機に最初に付与されるリンク情報は最初は高レベルにすることができる。
【００２９】
データファイル及び変換アプリケーションの理解のために、最初に、リムーバブル記憶媒体に分配されるウェブ拡張タイトルの関連情報について説明する。ここでは、一例としてＤＶＤについて説明する。ＤＶＤビデオは再生制御のためのナビゲーションデータを規定している。この論理構造は(特に)次のユニット（単位）を規定している。
2005528043.tif 000003
【００３０】
これらのユニットの意味は次の通りである。
・タイトル：映画、ＴＶプログラム又は音楽アルバム
・プログラムチェーン：シーケンシャル表示を生成するための互いにリンクされたプログラムのコレクション又はセルのグループ
・プログラム：プログラムチェーン（ＰＧＣ）内のセルのグループ
・タイトルの部分（ＰＴＴ）：シーンを現すタイトルの１区分(チャプタともいう)
【００３１】
例えば、ＤＶＤビデオディスクは、単一のタイトル(映画)を（映画の異なるバージョンに対して）多数のプログラムチェーンとともに含むことができる。タイトルは、更に、ユーザがチャプタと考える部分に対応する部分（ＰＴＴ）に分割される。
【００３２】
ＤＶＤビデオは再生制御用のコマンドも定義しており（ＤＶＤ仕様の付録Ｊ）、これらのコマンドは場合によりリモートコントロールコマンドに対応する。これらのコマンドは上述したユニットを有する再生を制御する。いくつかのサンプルコマンドを以下に示す。
・Title_Play(Title number)−タイトル再生
・PTT_Play(Titile number, PTT number)−タイトル内のPTT再生
・Time_Play(Time number, Time)−規定時間にタイトル再生
・PTT_Search(PTT number)−現表示停止、指定されたＰＴＴ番号の始めから表示開始
【００３３】
ＤＶＤ用に開発されたウェブサイトは、コンテントの特定部分を非線形の順序で再生する特徴を含むことができる。これらの特徴の記述は（手続き式でも宣言式でも）ＤＶＤ付録Ｊコマンドを用いて再生を制御する。記憶コンテントに対して、これらの特徴は再生を制御するＭＨＰ(又は類似のプラットフォーム)内で利用することができる。
【００３４】
ウェブサイトは、メインビデオ表示と一緒に提示するコンテント、例えばサブタイトル、外国語サウンドトラック、脚本家及び監督の注釈を含むことができる。このコンテントは、早送り／巻き戻し、次／前チャプタのようなユーザ操作の場合にもビデオコンテントと一致したままであり、ＤＶＤビデオと同期させる必要はない。これらのフィーチャーは、コンテントを記憶する必要がないＴＶ放送中にユーザに提供することができる。
【００３５】
いずれにしても、ＤＶＤ上の論理ナビゲーション構造と放送のタイミングとの間のマッピングが必要である。好適実施例では、これに、映画がＴＶ用に編集され種々の部分が除去されたり、余分のコンテントが放送に付加されている(例えばコマーシャル時間、ニュース放送が挿入された映画)可能性を考慮する。
【００３６】
ＭＨＰは、トランスポートストリームに挿入し種々のアプリケーションへのアクセス可能とするノーマルプレイタイム（ＮＰＴ）を規定している。これは放送の任意の時間不連続性と無関係に単調に増大する時間軸を提供する。ＮＰＴは放送に含める必要はなく、ＭＰＨの一部とし、この場合にはＤＶＤコンテントと放送との時間関係を規定するのに使用することができる。このＮＰＴは、しばらくの時間、例えばメインプログラムのＮＰＴが休止するコマーシャルの時間中休止させることもできる。放送内に多数のＮＰＴを存在させることができるが、任意の時点、例えばメインプログラムのＮＰＴを別のＮＰＴが増大する挿入ニュース放送中に休止させることができる時点に、1つのＮＰＴを増すのみとすることができる。ＮＰＴは連続トランスポートストリームタイミング（ＰＣＲに基づく）からのオフセットである。ＰＣＲはＭＰＥＧ２トランスポートストリームからの頭文字である。これはプログラムクロックレファレンスの略であり、ＰＴＳ／ＤＴＳ（プレゼンテーションタイムスタンプ及びディスプレイタイムスタンプ）と一緒にトランスポートストリームの基本タイミングである。ＰＣＲはトランスポートストリーム内で反復して現在時刻を与えるとともにＰＴＳ／ＤＴＳをＰＣＲと同一の時間軸に関連させる。
【００３７】
本発明におけるデータファイルは、コンテント部分が放送タイミング情報により識別される場合、放送すべきＤＶＤビデオプレゼンテーション構造（又はもっと一般的には、記憶コンテント部分を識別するために使用するアドレス構造）からのマッピングを提供するものである。これをどのように符号化するかの詳細は重要でなく（例えばＸＭＬを用いる）、データファイルは放送内に存在する原記憶タイトルのコンテント部分に対して両者の時間関係を規定するものである。好適実施例では、データファイルはＤＶＤコンテントのどの部分が放送内に存在するか(又はその逆に、放送内に存在しないかを)決定して、コントローラのより、除去部分に関連するウェブサイト上の情報部分のレンダリングをディセーブル可能にする。
【００３８】
図３は、ＤＶＤのコンテント部分アドレス(列３１０に示す)をＭＨＰ  ＮＰＴフォーマットのコンテント部分タイミング(列３２０に示す)へマッピングするデータファイルの一例を示す。本例では、タイトル１は７つのチャプタＰＴＴ１〜ＰＴＴ７に分割されている。チャプタＰＴＴ５は放送から除外される。典型的なデータファイルでは、このチャプタはデータファイルから除去される。尚、列３２０に存在しても、放送内に存在させなければ（例えば列３２０内に値を与えなければ）このチャプタは依然としてテーブル内に存在させてもよい。このように、データファイルは、タイトルのどのコンテント部分が放送から除去されたかを明示的に又は暗黙的に指示する。このような情報に基づいて、放送／送信されたタイトル内に存在しないコンテント部分に関連するウェブサイトコンテント部分のレンダリングをディセーブルすることができる。更に、原記憶タイトルと比較して放送コンテントに隙間がある点に注意されたい。チャプタＰＴＴ３は前チャプタが放送タイミングＮＰＴ２で終了したのにタイミングＮＰＴ３で始まる。この隙間は、例えばコマーシャルのような付加コンテントが原記憶コンテントに存在しなかった放送内に付加されているためである。本例では、タイトル３もその全体が除去されている。当業者はデータファイルを他の記憶フォーマット及び他の放送タイミングフォーマットに適応させることができる。一例として、記憶アドレス指定はチャプタより詳細なレベル、例えばＤＶＤセルレベルで行うこともできる。
【００３９】
上述の構造はＤＶＤ構造を取り、どの部分が放送に存在するかを指示する。放送コンテントタイムラインから出発して各部分がＤＶＤのどの部分に対応するかを示す他の構造とすることもできること勿論である。ウェブサイトコンテントがＤＶＤのどのレベルに依存するかに応じて、このマッピングの一部を記憶すれば十分とすることができ、例えばウェブサイトがプログラム（ＰＧ）に関連しない場合には、ＰＧへのマッピングは記憶する必要はない。
【００４０】
ＭＨＰ以外のシステムはＮＰＴ方式を使用しないが、類似の機構を保持しうる。適切な機構が存在しない場合には、その代わりに、起り得る不連続を考慮した放送のタイミング（ＰＣＲに基づく）へのマッピングを与えることができる。このタイム情報はインタラクティブアプリケーションが使用可能である必要があること勿論である。
【００４１】
放送は、ウェブサイトにもサポートが与えられるコンテントを付加することができることも理解されたい。このような新しいコンテント部分は、例えばＤＶＤアドレスフォーマットを模倣することにより識別する必要はない。新しいコンテント部分は送信タイミングフォーマットを用いて識別しないのが好ましい。送信と無関係のフォーマットを用いることにより、異なる送信識別を使用し得る他の送信／放送のために付加コンテントを再使用することが容易になる。変換データファイルは付加コンテント部分に対する変換データも含む。
【００４２】
好適実施例では、受信機は送信されたタイトルを図２の内部記憶装置２９０のような記憶装置に記憶する。送信されたタイトルの記憶においては、放送タイミングから記録可能ディスクのような記憶装置上の位置へのマッピングも記憶する。これにより、プログラム内におけるある時刻のジャンプ及びトリック再生をサポートすることができる（多くのアプリケーションに対してＭＰＥＧ２のＩフレームについて時間／位置を記憶すれば十分である）。この追加のマッピングにより、放送内のタイミングに基づいて記憶装置内の位置を見つけ出すことが可能になる。本発明では、ウェブサイトは、例えばＤＶＤアドレスに基づいて位置を示す。データファイルは放送タイミングへのマッピングを示し、新しい記憶位置を用いて放送タイミングからディスク上の実際の位置へ再びマッピングすることができる。必要に応じ、データファイルを更新してＤＶＤアドレスから新しい記憶装置のアドレスへのダイレクトマッピングを与えることもできる。
【００４３】
以上から理解されるように、変換アプリケーションは一度開発する必要があるだけである。このアプリケーションは読取専用メモリ（例えばＲＯＭ）に予め記憶し、所要時にコントローラにロードすることができる。このアプリケーションはフラッシュメモリのような書込み可能メモリ、ハードディスク又は書込み可能記憶装置に記憶することもできる。このような場合には、このアプリケーションはＣＤ−ＲＯＭのような媒体で分配すること、又はインターネットのような通信システムを介して送信すること（タイトルに対応するウェブサイト又はセットメーカのウェブサイトからダウンロードするのが好ましい）、又はＡＶ放送システムにより、例えば多重トランスポートストリーム内のＪａｖａ（登録商標）アプレット（Ｘｌｅｔ）として放送することができる。選択した受信機、例えば特定のサービスに加入している受信機にマルチキャストすることもできる。同様に、データファイル及びリンク情報もインターネット(又は他の通信システム)を介して得ることができ、またＡＶ送信システムによりマルチキャスト／放送することができる。
【００４４】
タイトルのレンダリング時に一度記録したタイトルに対するウェブサイトがもはや使用不可となるのを避けるために、好適実施例では、ウェブサイトの当該コンテントを、受信機の制御の下で、例えば図２の記憶装置２９０に局部的に記録することもできる。ＡＶ送信システムはウェブコンテントを放送するのが好ましい。必要に応じ、ウェブコンテントは個々の受信機に直接アドレスすることもでき、また一群の受信機にマルチキャストすることもできる。
【００４５】
上述の実施例は本発明を限定するものでなく、当業者であれば本発明の範囲から逸脱することなく多くの変更例を設計することができる。本発明はいくつかの個別素子を具えるハードウエアによって、又は適切にプログラムされたコンピュータによって実現することができる。システム／デバイス／装置クレームはいくつかの手段を列挙しているが、これらの手段のいくつかはハードウエアの１つの同一の要素で実現することができる。コンピュータプログラム製品は光記憶媒体のような適切な媒体に記憶し分配することができるが、他の形態、例えばインターネット又は無線電気通信システムを介して分配することもできる。
【図面の簡単な説明】
【００４６】
【図１】本発明を使用し得るディジタル放送システムのブロック図を示す。
【図２】本発明のシステムに使用する受信機のブレークダウン図を示す。
【図３】本発明におけるデータファイルの一例を示す。
【図１】
2005528043.tif 000004
【図２】
2005528043.tif 000005
【図３】
2005528043.tif 000006
【国際調査報告】
2005528043.tif 000007
2005528043.tif 000008
2005528043.tif 000009